(57)【要約】【課題】本発明は、竿素材に対する釣糸ガイドの固定強度を充分に確保できる釣竿を得ることにある。【解決手段】釣竿(1)は、竿素材(4)と釣糸ガイド(10)とを備えている。釣糸ガイド(10)は、釣糸(7)を案内する案内部(12)と、案内部(12)を支える脚部(13)とを有している。竿素材(4)の外周面に、シート本体(18, 32)に合成樹脂剤(19)を含浸させた樹脂含浸シート(17, 31)が巻き付けられている。樹脂含浸シート(17, 31)の外周面に釣糸ガイド(10)の脚部(13)が載置されている。釣糸ガイド(10)の脚部(13)の上から樹脂含浸シート(17, 31)の外周面に亘って巻き糸(25)が巻き付けられている。巻き糸(25)および樹脂含浸シート(17, 31)は、合成樹脂製の糸止め剤(26)によって連続して被覆されている。樹脂含浸シート(17, 31)に含まれる合成樹脂剤(19)は、脚部(13)と竿要素(4)との間に充填されている。【選択図】      図２
2009178132.tif 000002
【特許請求の範囲】
【請求項１】
竿素材と、
上記竿素材の外周面に巻き付けられ、シート本体に合成樹脂剤を含浸させた樹脂含浸シートと、
釣糸を案内する案内部と、この案内部を支える脚部とを有し、この脚部が上記樹脂含浸シートの外周面に載置された釣糸ガイドと、
上記釣糸ガイドの脚部の上から上記樹脂含浸シートの外周面に亘って巻き付けられ、上記脚部を上記樹脂含浸シートの上に固定する巻き糸と、
上記巻き糸および上記樹脂含浸シートを連続して被覆する合成樹脂製の糸止め剤と、を具備し、
上記樹脂含浸シートに含まれる合成樹脂剤が上記釣糸ガイドの脚部と上記竿素材との間に充填されていることを特徴とする釣竿。
【請求項２】
請求項１の記載において、上記竿素材に巻き付けられた上記樹脂含浸シートは、上記竿素材の軸方向に互いに離間した第１の端部と第２の端部とを有し、これら第１および第２の端部は、上記脚部よりも上記竿素材の軸方向に突出していることを特徴とする釣竿。
【請求項３】
請求項１の記載において、上記樹脂含浸シートのシート本体は、上記竿素材に巻き付けた時に、上記竿素材の周方向に沿う複数のループ部を構成する複数の繊維を含み、上記ループ部は、上記竿素材の軸方向に並んでいることを特徴とする釣竿。
【請求項４】
請求項１の記載において、上記樹脂含浸シートのシート本体は、複数の繊維を互いに交差するように組み合わせた織物であり、この織物の外周部に上記脚部に接する複数の交錯部が形成されていることを特徴とする釣竿。
【請求項５】
請求項１の記載において、上記樹脂含浸シートは、複数層に重なるように上記竿素材の外周面に巻き付けられ、この樹脂含浸シートは、巻き始め端と巻き終わり端とを有するとともに、これら巻き始め端および巻き終わり端を上記竿素材の周方向に互いにずらすことで、上記樹脂含浸シートの外周面に上記釣糸ガイドの脚部が入り込む溝部を形成したことを特徴とする釣竿。
【請求項６】
シート本体に合成樹脂剤を含浸させた樹脂含浸シートを竿素材の外周面に巻き付ける工程と、
上記樹脂含浸シートの外周面に釣糸ガイドの脚部を載置する工程と、
上記釣糸ガイドの脚部の上から上記樹脂含浸シートの外周面に亘って巻き糸を巻き付けることにより、上記脚部を上記樹脂含浸シートの上に固定する工程と、
上記巻き糸および上記樹脂含浸シートを合成樹脂製の糸止め剤で被覆した後、上記合成樹脂剤および上記糸止め剤を乾燥・硬化させる工程と、を具備することを特徴とする釣竿の製造方法。
【発明の詳細な説明】
【技術分野】
【０００１】
本発明は、竿杆の外周面に複数の釣糸ガイドを取り付けた釣竿に係り、特に釣糸ガイドを竿杆の外周面に固定するための構造および方法に関する。
【背景技術】
【０００２】
外通し釣竿は、リールから繰り出された釣糸を穂先に導く複数の釣糸ガイドを備えている。釣糸ガイドは、元竿杆やこの元竿杆に継ぎ合わされた先側竿杆の外周面に取り付けられて、釣竿の長手方向に互いに間隔を存して一列に並んでいる。この種の釣糸ガイドは、釣糸を通すガイドリングと、このガイドリングを支える脚部とを備えている。脚部は竿杆の軸方向に延びる所定の長さ寸法を有している。
【０００３】
従来の釣竿では、釣糸ガイドの脚部を竿杆の外周面に直に取り付ける場合と、竿杆の外周面に形成された下糸層の上に取り付ける場合がある。下糸層は、釣糸ガイドの脚部の安定性を高めたり、脚部と竿杆とが互いに擦れ合うのを防止するためのものであり、例えば竿杆の外周面に糸を密に巻き付けることで構成されている。
【０００４】
釣糸ガイドの脚部は、下糸層の外周面に載置した後、この脚部の上から下糸層の外周面に亘って上糸を密に巻き付けることで、竿杆に保持されている。さらに、脚部に上糸を巻き付けた後、この上糸の上から熱硬化性の接着剤を塗布し、この接着剤を硬化させることで、脚部が下糸層の上に固定されるようになっている。
【０００５】
接着剤は、上糸を浸透して脚部の表面に達するとともに、下糸層を連続して覆っている。そのため、接着剤は、下糸層が竿杆の外周面から剥離しないように下糸層を竿杆に固定する機能も兼ねている（例えば、特許文献１参照）。
【特許文献１】特開２０００−１８９００９号公報
【発明の開示】
【発明が解決しようとする課題】
【０００６】
特許文献１に開示された釣竿によると、上糸に塗布された接着剤は、上糸を浸透して脚部の表面に達した後、この脚部の表面を伝わって下糸層の外周面に至る。しかしながら、下糸層の外周面のうち脚部が載置された部分は、この脚部によって覆われているので、脚部が邪魔となって接着剤が脚部と下糸層の外周面との間に浸透することができなくなる。
【０００７】
そのため、接着剤は、脚部が下糸層から剥がれないように脚部を上糸の方向から押えているにすぎず、下糸層の方向から見た場合には、脚部は下糸層に対して単に接しているだけの状態に止まっている。
【０００８】
この結果、竿杆に対する脚部の固定強度が不足する虞があり、例えば釣りの最中に釣竿が大きく撓んだ時に、脚部が下糸層から剥離して浮き上がったり、釣糸ガイドがぐらつき易くなるといった不具合がある。
【０００９】
本発明の目的は、竿素材に対する釣糸ガイドの固定強度を充分に確保できる釣竿および釣竿の製造方法を得ることにある。
【課題を解決するための手段】
【００１０】
上記目的を達成するため、本発明の一つの形態に係る釣竿は、  
竿素材と、  
上記竿素材の外周面に巻き付けられ、シート本体に合成樹脂剤を含浸させた樹脂含浸シートと、  
釣糸を案内する案内部と、この案内部を支える脚部とを有し、この脚部が上記樹脂含浸シートの外周面に載置された釣糸ガイドと、  
上記釣糸ガイドの脚部の上から上記樹脂含浸シートの外周面に亘って巻き付けられ、上記脚部を上記樹脂含浸シートの上に固定する巻き糸と、  
上記巻き糸および上記樹脂含浸シートを連続して被覆する合成樹脂製の糸止め剤と、を備えており、  
上記樹脂含浸シートに含まれる合成樹脂剤が上記釣糸ガイドの脚部と上記竿素材との間に充填されていることを特徴としている。
【００１１】
上記目的を達成するため、本発明の一つの形態に係る釣竿の製造方法は、  
シート本体に合成樹脂剤を含浸させた樹脂含浸シートを竿素材の外周面に巻き付け、この樹脂含浸シートの外周面に釣糸ガイドの脚部を載置するとともに、上記釣糸ガイドの脚部の上から上記樹脂含浸シートの外周面に亘って巻き糸を巻き付けることにより、上記脚部を上記樹脂含浸シートの上に固定し、さらに、上記巻き糸および上記樹脂含浸シートを合成樹脂製の糸止め剤で被覆した後、上記合成樹脂剤および上記糸止め剤を乾燥・硬化させるようにしたことを特徴としている。
【発明の効果】
【００１２】
本発明によれば、竿素材に対する釣糸ガイドの固定強度が格段に向上し、釣糸ガイドの剥離やぐらつきを確実に防止することができる。
【発明を実施するための最良の形態】
【００１３】
以下本発明の第１の実施の形態を、図１ないし図５に基づいて説明する。
【００１４】
図１は、例えば並継ぎ式の釣竿１を開示している。釣竿１は、元竿杆２、中竿杆３および穂先竿杆４を備えている。各竿杆２，３，４は、釣竿１を構成する竿素材の一例である。元竿杆２および中竿杆３は、例えば炭素繊維等の強化繊維にエポキシ樹脂等の合成樹脂を含浸させた繊維強化プリプレグを用いて中空状に形成されている。穂先竿杆４は、同様の繊維強化プリプレグを用いて大きく撓ませることが可能な中実状に形成されている。
【００１５】
なお、釣竿１は上記の構成に限らず、例えば全ての竿杆２，３，４を中空構造としたり、あるいは中実構造としてもよい。さらに、竿杆２，３，４の継ぎ方式も並継ぎに限らず、例えば印籠継ぎのような他の継ぎ方式を採用することができる。
【００１６】
図１に示すように、釣竿１の竿尻側に位置する最も大径の元竿杆２は、釣人が手で握るグリップ部５を備えている。グリップ部５に形成されたリールシートに魚釣用リール６が取り付けられている。
【００１７】
釣竿１の外周面に複数の釣糸ガイド１０が取り付けられている。釣糸ガイド１０は、魚釣用リール６から繰り出された釣糸７を釣竿１の先端のトップガイド１１に向けて案内するためのものである。釣糸ガイド１０は、魚釣用リール６とトップガイド１１との間に位置するとともに、釣竿１の長手方向に互いに間隔を存して一列に並んでいる。
【００１８】
図１に示すように、釣竿１の竿尻側に位置する二つの釣糸ガイド１０は、竿尻側および穂先側に延びる二つの脚部を介して釣竿１に固定する両脚構造を採用している。釣竿１の穂先側に位置するその他の釣糸ガイド１０は、例えば外径が細い穂先竿杆４の曲げあるいは調子に悪影響を与えないように、竿尻側に延びる一つの脚部を介して釣竿１に固定する片脚構造を採用している。
【００１９】
図２および図３は、釣竿１の穂先竿杆４に取り付けられた片脚構造の釣糸ガイド１０を開示している。釣糸ガイド１０は、案内部１２と単一の脚部１３とを備えている。案内部１２は、釣糸７が貫通するガイドリング１４と、このガイドリング１４を取り囲んで保持するリング状のフレーム１５とを有している。
【００２０】
案内部１２は、穂先竿杆４の軸線Ｏ１に対しやや前傾した姿勢で起立している。脚部１３は、フレーム１５から釣竿１の竿尻側に向けて真っ直ぐに延びるとともに、穂先竿杆４の外周面の曲率に沿うように略円弧状に湾曲している。
【００２１】
図２および図３に示すように、穂先竿杆４は、その軸方向に沿う途中に釣糸ガイド１０を固定するための固定領域４ａを有している。穂先竿杆４の固定領域４ａの外周面に樹脂含浸シート１７が巻き付けられている。樹脂含浸シート１７は、シート本体としての繊維部１８と合成樹脂剤１９とで構成されている。
【００２２】
繊維部１８は、複数の繊維(糸)１８ａを有している。繊維１８ａとしては、例えば糸太さ５０デニール〜８４０デニールのナイロン糸を用いることができる。繊維１８ａは、樹脂含浸シート１７を穂先竿杆４の外周面に巻き付けた時に、穂先竿杆４の周方向に沿う複数のループ部１８ｂを構成している。ループ部１８ｂは、例えば互いに密着された状態で穂先竿杆４の軸方向に並んでいる。
【００２３】
このため、図４および図５に示すように、繊維部１８の外周部および内周部には、夫々穂先竿杆４の周方向に沿う複数の溝状の凹部２０が形成されている。凹部２０は、穂先竿杆４の軸方向に略一定の間隔を存して並んでいる。各凹部２０は、隣り合うループ部１８ｂの間に位置するとともに、繊維部１８の径方向に沿う外側および内側に向けて次第に拡開するような断面形状を有している。
【００２４】
このことから、繊維部１８の外周部および内周部は、ループ部１８ｂと凹部２０とが穂先竿杆４の軸方向に交互に並んだ凹凸面となっている。
【００２５】
合成樹脂剤１９は、繊維部１８に含浸されて繊維部１８の外周部および内周部を覆っている。言い換えると、合成樹脂剤１９は、凹部２０に蓄えられて樹脂含浸シート１７の外周面および内周面に露出している。この合成樹脂剤１９としては、例えば熱硬化性樹脂を用いることが望ましい。
【００２６】
穂先竿杆４に巻き付けられた樹脂含浸シート１７は、第１の端部１７ａと第２の端部１７ｂとを有している。第１の端部１７ａおよび第２の端部１７ｂは、穂先竿杆４の軸方向に互いに離間している。第１の端部１７ａから第２の端部１７ｂに至る樹脂含浸シート１７の全長Ｌ１は、釣糸ガイド１０の脚部１３の全長Ｌ２よりも長くなっている。
【００２７】
図３に示すように、樹脂含浸シート１７は、穂先竿杆４の固定領域４ａの外周面に例えば二層に重ねて巻き付けられている。樹脂含浸シート１７は、巻き始め端２１ａと巻き終わり端２１ｂとを有している。巻き始め端２１ａおよび巻き終わり端２１ｂは、夫々穂先竿杆４の軸方向に延びている。巻き始め端２１ａは、穂先竿杆４の外周面に重ねられている。巻き終わり端２１ｂは、穂先竿杆４の外周面に巻き付けられた樹脂含浸シート１７の一層目２１ｃの上に位置している。
【００２８】
樹脂含浸シート１７の一層目２１ｃから二層目２１ｄに至る部分は、穂先竿杆４の外周面から樹脂含浸シート１７の巻き始め端２１ａの上に乗り上げて、この巻き始め端２１ａを上から覆っている。これにより、樹脂含浸シート１７の一層目２１ｃから二層目２１ｄに至る部分には、樹脂含浸シート１７の厚さに相当する段差２２が形成されている。段差２２は、穂先竿杆４の軸方向に延びている。第１の実施の形態では、樹脂含浸シート１７の厚さが釣糸ガイド１０の脚部１３の厚さよりも小さくなっているが、樹脂含浸シート１７の厚さと脚部１３の厚さは互いに同一であってもよい。
【００２９】
段差２２と巻き終わり端２１ｂとは、穂先竿杆４の周方向に互いにずれている。このため、巻き終わり端２１ｂおよび段差２２は、樹脂含浸シート１７の外周面の上に溝部２３を規定している。溝部２３は、穂先竿杆４の軸方向に延びるとともに、釣糸ガイド１０の脚部１３が入り込めるような幅寸法を有している。
【００３０】
したがって、溝部２３は、穂先竿杆４に対する脚部１３の取り付け位置を定めている。さらに、溝部２３を規定する巻き終わり端２１ｂおよび段差２２は、穂先竿杆４の周方向への脚部１３のずれを防止するストッパとしても機能している。
【００３１】
釣糸ガイド１０の脚部１３は、溝部２３に入り込んで、この溝部２３の底となる樹脂含浸シート１７の一層目２１ｃの上に載置されている。樹脂含浸シート１７の第１の端部１７ａは、脚部１３よりも穂先側に突出するとともに、第２の端部１７ｂは、脚部１３よりも竿尻側に突出している。さらに、図３に示すように、脚部１３が溝部２３に入り込んだ状態では、脚部１３の表面が樹脂含浸シート１７の外周面よりも穂先竿杆４の径方向外側に向けて張り出している。
【００３２】
脚部１３は、巻き糸２５を介して樹脂含浸シート１７の溝部２３に保持されている。巻き糸２５は、脚部１３の表面から樹脂含浸シート１７の外周面に亘って連続して巻き付けられている。巻き糸２５は、脚部１３を上から押さえる複数のループ部２５ａを形成している。ループ部２５ａは、穂先竿杆４の周方向に沿うとともに、互いに密着された状態で穂先竿杆４の軸方向に並んでいる。
【００３３】
そのため、巻き糸２５のループ部２５ａは、脚部１３を樹脂含浸シート１７の外周面に縛り付けている。竿尻側に位置する幾つかのループ部２５ａは、脚部１３を通り越して樹脂含浸シート１７の第２の端部１７ｂの外周面に直に巻き付けられている。巻き糸２５としては、上記繊維部１８の繊維１８ａと同様のナイロン糸を用いることができる。
【００３４】
図２に示すように、巻き糸２５のループ部２５ａは、糸止め剤２６によって被覆されている。糸止め剤２６は、所定の粘度を有するとともに、巻き糸２５の巻き付け範囲を全て覆うように巻き糸２５の上に塗布されている。糸止め剤２６は、その穂先側および竿尻側の端部が巻き糸２５から穂先竿杆４の軸方向に食み出している。糸止め剤２６としては、例えば上記合成樹脂剤１９と同様の熱硬化性樹脂を用いることが望ましい。
【００３５】
図４および図５に示すように、糸止め剤２６は、巻き糸２５の隣り合うループ部２５ａの間を浸透して脚部１３の表面および樹脂含浸シート１７の外周面に達している。糸止め剤２６は、樹脂含浸シート１７の外周面に露出する合成樹脂剤１９と合体して釣糸ガイド１０の脚部１３を包み込むとともに、この脚部１３を穂先竿杆４の固定領域４ａに固定している。
【００３６】
次に、釣糸ガイド１０を穂先竿杆４の固定領域４ａに取り付ける手順について説明する。
【００３７】
先ず、穂先竿杆４の固定領域４ａの外周面に樹脂含浸シート１７を二重に巻き付ける。この巻き付けにより、樹脂含浸シート１７の内周面に露出する合成樹脂剤１９が固定領域４ａと樹脂含浸シート１７との間に介在される。
【００３８】
さらに、樹脂含浸シート１７は、巻き始め端２１ａと巻き終わり端２１ｂとが穂先竿杆４の周方向に互いにずれるように穂先竿杆４の外周面に巻き付け、この樹脂含浸シート１７の外周面に穂先竿杆４の軸方向に延びる溝部２３を形成する。この溝部２３の存在により、釣糸ガイド１０の取り付け位置が定まる。
【００３９】
次に、釣糸ガイド１０の脚部１３を溝部２３に載置する。この状態では、脚部１３の表面が樹脂含浸シート１７の外周面から張り出すとともに、樹脂含浸シート１７に含まれる合成樹脂剤１９が脚部１３と穂先竿杆４の固定領域４ａとの間に介在される。さらに、樹脂含浸シート１７の繊維部１８は、穂先竿杆４の周方向に沿う複数のループ部１８ｂを有するので、これらループ部１８ｂが脚部１３と略直交する方向に沿って一列に並んだ状態となる。
【００４０】
この後、脚部１３の上から巻き糸２５を巻き付けて、脚部１３を樹脂含浸シート１７の外周面に縛り付ける。これにより、脚部１３の裏面が樹脂含浸シート１７の外周面に強く押し付けられて、脚部１３が樹脂含浸シート１７の上に保持される。
【００４１】
樹脂含浸シート１７の外周面には、複数のループ部１８ｂと複数の凹部２０が位置し、これらループ部１８ｂおよび凹部２０は、脚部１３と略直交する方向に交互に並んでいる。このため、例えば釣糸ガイド１０の脚部１３が穂先竿杆４の軸方向に押圧されるような力を受けた時、脚部１３はループ部１８ｂおよび凹部２０を横切る方向に移動しようとする。したがって、特に凹部２０を挟んで隣り合うループ部１８ｂが脚部１３の裏面に引っ掛かるアンカー効果を発揮し、穂先竿杆４の軸方向に沿う脚部１３の動きを制限する。
【００４２】
さらに、脚部１３は、樹脂含浸シート１７の外周面の溝部２３に入り込んで、樹脂含浸シート１１の巻き終わり端２１ｂと段差２２との間に介在されている。そのため、樹脂含浸シート１１の巻き終わり端２１ｂおよび段差２２は、穂先竿杆４の周方向への脚部１３の移動を制限する。
【００４３】
この結果、脚部１３が穂先竿杆４の軸方向および周方向のいずれの方向にも動き難くなり、釣糸ガイド１０の固定強度を向上させることができる。
【００４４】
次に、合成樹脂製の糸止め剤２６を巻き糸２５の上から塗布し、この糸止め剤２６で巻き糸２５のループ部２５ａを万遍なく覆う。糸止め剤２６は、巻き糸２５を覆うと同時に、隣り合うループ部２５ａの間を浸透して脚部１３の表面および樹脂含浸シート１７の外周面に到達する。樹脂含浸シート１７の外周面に達した糸止め剤２６は、樹脂含浸シート１７の外周面に露出する合成樹脂剤１９と合体し、この合成樹脂剤１９と協働して脚部１３を全周に亘って包み込む。
【００４５】
糸止め剤２６の塗布が完了した後、穂先竿杆４を加熱して合成樹脂剤１９および糸止め剤２６を乾燥・硬化させる。合成樹脂剤１９および糸止め剤２６は、加熱の初期段階で一時的に溶融し、流動性が高まる。これにより、合成樹脂剤１９および糸止め剤２６が樹脂含浸シート１７の外周面で互いに混じり合って一体化される。さらに、溶融状態にある合成樹脂剤１９および糸止め剤２６は、繊維部１８のループ部１８ｂや巻き糸２５のループ部２５ａの間に緻密に入り込むとともに、脚部１３の表面および裏面に対し隙間無く密着する。
【００４６】
樹脂含浸シート１７の繊維部１８は、脚部１３を巻き糸２５で強固に締め付けた時に、樹脂含浸シート１７の厚み寸法を維持する芯材として機能する。これにより、樹脂含浸シート１７に含まれる合成樹脂剤１９が一時的に溶融状態に移行しても、合成樹脂剤１９の多くが脚部１３と樹脂含浸シート１７との間に留まる。
【００４７】
すなわち、脚部１３と穂先竿杆４の外周面との間に合成樹脂剤のみを介在させた場合、脚部１３は巻き糸２５によって穂先竿杆４の外周面に強く押圧されているので、合成樹脂剤が加熱により一時的に溶融状態に移行した時に、溶けた合成樹脂剤が脚部１３と穂先竿杆４の外周面との間から流出することがあり得る。この結果、脚部１３と穂先竿杆４の外周面との間に介在される合成樹脂剤の量が少なくなる。
【００４８】
これに対し、第１の実施の形態の樹脂含浸シート１７では、繊維部１８が穂先竿杆４と脚部１３との間隔を維持する。そのため、溶けた合成樹脂剤１９が穂先竿杆４と脚部１３との間から流出し難くなり、穂先竿杆４と脚部１３との間に充分な量の合成樹脂剤１９を留めておくことができる。
【００４９】
合成樹脂剤１９および糸止め剤２６は、脚部１３や巻き糸２５を包み込んだ状態で硬化する。これにより、釣糸ガイド１０が穂先竿杆４の外周面の固定領域４ａに強固に固定され、一連の釣糸ガイド１０の取り付け作業が完了する。
【００５０】
このような本発明の第１の実施の形態によれば、釣糸ガイド１０の脚部１３と穂先竿杆４との間に樹脂含浸シート１７が介在され、この樹脂含浸シート１７の外周面に露出された合成樹脂剤１９が脚部１３の裏面に隙間無く接している。しかも、巻き糸２５に塗布された糸止め剤２６は、巻き糸２５のループ部２５ａを浸透して脚部１３の表面に隙間無く接するとともに、樹脂含浸シート１７の外周面の合成樹脂剤１９と混じり合って一体化されている。
【００５１】
このため、脚部１３は、全周に亘って合成樹脂剤１９および糸止め剤２６で包み込まれた状態で穂先竿杆４の固定領域４ａに固定されることになり、穂先竿杆４に対する脚部１３の固定強度が格段に向上する。
【００５２】
したがって、例えば釣りの最中に穂先竿杆４が大きく撓んだ状態でも、穂先竿杆４に対する脚部１３の剥離やぐらつきを防止することができ、釣糸ガイド１０の取り付け姿勢が安定する。
【００５３】
しかも、樹脂含浸シート１７は、繊維部１８の存在によりシート形状を維持するので、穂先竿杆４の外周面の固定領域４ａに簡単に巻き付けることができる。そのため、従来の下糸層を巻き付ける時との比較において、樹脂含浸シート１７の巻き付けに要する作業に手間がかからないとともに、新たな製造工程を付加する必要もない。よって、釣竿１の製造コストを抑えることができ、安価な釣竿１を提供することができる。
【００５４】
なお、本発明は上記第１の実施の形態に特定されるものではなく、発明の主旨を逸脱しない範囲内で種々変形して実施可能である。
【００５５】
例えば、樹脂含浸シートに含まれる合成樹脂剤としては、竿杆を構成する繊維強化プリプレグよりも低温で硬化する低温硬化樹脂を用いることができる。この低温硬化樹脂を用いることで、樹脂含浸シートおよび糸止め剤を乾燥・硬化させる際の竿杆への熱影響を極力少なく抑えることができる。
【００５６】
さらに、樹脂含浸シートの繊維部を構成する繊維にしてもナイロン糸に制約されるものではなく、例えばカーボン繊維、ガラス繊維あるいはアラミド繊維を用いてもよい。
【００５７】
加えて、釣糸ガイドの脚部の裏面にエンボス加工を施すことで、脚部の裏面に複数の凹凸を形成してもよい。この構成を採用することで、樹脂含浸シートの繊維部の凹凸と脚部の裏面の凹凸とが互いに噛み合うことになる。このため、釣糸ガイドの脚部が樹脂含浸シートの外周面により一層引っ掛かり易くなり、脚部の固定強度を高める上で有利な構成となる。
【００５８】
一方、図６ないし図８は、本発明の第２の実施の形態を開示している。
【００５９】
この第２の実施の形態は、穂先竿杆４の外周面に巻き付ける樹脂含浸シート３１の構成が上記第１の実施の形態と相違しており、これ以外の釣竿１の構成は第１の実施の形態と同様である。そのため、第２の実施の形態において、第１の実施の形態と同一の構成部分には同一の参照符号を付して、その説明を省略する。
【００６０】
図６および図７に示すように、樹脂含浸シート３１は、そのシート本体として織物３２を採用している。織物３２は、穂先竿杆４の軸線Ｏ１に対し４５°傾斜する複数の第１の糸３３と、第１の糸３３と直交するように穂先竿杆４の軸線Ｏ１に対し４５°傾斜する複数の第２の糸３４とを交互に織り出すことにより構成され、柔軟性を有している。第１および第２の糸３３，３４としては、所定の幅を有する偏平な糸（繊維）を用いており、例えば第１の糸３３と第２の糸３４の色を異ならせることで、織物３２の装飾性を高めることができる。
【００６１】
第１の糸３３と第２の糸３４とを組み合せることで、織物３２の外周部および内周部に夫々連続的に浮き沈みする数多くの交錯部３５を有する網目状の模様が形成されている。このため、織物３２の表面および裏面は、数多くの交錯部３５がマトリクス状に並んだ凹凸面となっている。
【００６２】
樹脂含浸シート３１に含浸された合成樹脂剤１９は、第１および第２の糸３３，３４の間に浸透するとともに、模様の元となる交錯部３５に貯えられている。そのため、第２の実施の形態においても、合成樹脂剤１９は、織物３２を覆うように樹脂含浸シート３１の外周面および内周面に露出している。
【００６３】
図７および図８に示すように、樹脂含浸シート３１は、穂先竿杆４の固定領域４ａの外周面に例えば二層に重ねて巻き付けられている。樹脂含浸シート３１は、巻き始め端３１ａおよび巻き終わり端３１ｂを有している。巻き始め端３１ａおよび巻き終わり端３１ｂは、夫々穂先竿杆４の軸方向に延びている。巻き始め端３１ａは、穂先竿杆４の外周面の上に位置している。巻き終わり端３１ｂは、穂先竿杆４の外周面に巻き付けられた樹脂含浸シート３１の一層目３１ｃの上に位置している。
【００６４】
樹脂含浸シート３１の一層目３１ｃから二層目３１ｄに至る部分は、穂先竿杆４の外周面から樹脂含浸シート３１の巻き始め端３１ａの上に乗り上げて、この巻き始め端３１ａを上から覆っている。これにより、樹脂含浸シート３１の一層目３１ｃから二層目３１ｄに至る部分に、樹脂含浸シート３１の厚さに相当する段差３８が形成されている。段差３８は、穂先竿杆４の軸方向に延びている。第２の実施の形態では、樹脂含浸シート３１の厚さが釣糸ガイド１０の脚部１３の厚さよりも小さくなっているが、樹脂含浸シート３１の厚さと脚部１３の厚さは互いに同一であってもよい。
【００６５】
段差３８と巻き終わり端３１ｂとは、穂先竿杆４の周方向に互いにずれている。このため、巻き終わり端３１ｂおよび段差３８は、樹脂含浸シート３１の表面に溝部３９を規定している。溝部３９は、穂先竿杆４の軸方向に延びるとともに、釣糸ガイド１０の脚部１３が入り込めるような幅寸法を有している。
【００６６】
したがって、溝部３９は、穂先竿杆４に対する脚部１３の取り付け位置を定めている。溝部３９を規定する巻き終わり端３１ｂおよび段差３８は、穂先竿杆４の周方向への脚部１３のずれを防止するストッパとしても機能している。さらに、図８に示すように、脚部１３が溝部２３に入り込んだ状態では、脚部１３の表面が樹脂含浸シート３１の外周面よりも穂先竿杆４の径方向外側に向けて張り出している。
【００６７】
図６および図７に示すように、穂先竿杆４に巻き付けられた樹脂含浸シート３１は、穂先竿杆４の軸方向に互いに離間した第１の端部４０ａと第２の端部４０ｂとを有している。第１の端部４０ａから第２の端部４０ｂに至る樹脂含浸シート３１の全長Ｌ１は、釣糸ガイド１０の脚部１３の全長Ｌ２よりも長くなっている。
【００６８】
そのため、図６に示すように、釣糸ガイド１０の脚部１３を巻き糸２５で樹脂含浸シート３１の溝部３９に縛り付けた状態では、樹脂含浸シート３１の第１および第２の端部４０ａ，４０ｂが脚部１３よりも釣竿１の穂先側および竿尻側に向けて突出している。
【００６９】
このような第２の実施の形態においても、釣糸ガイド１０の脚部１３の裏面に樹脂含浸シート３１の外周面に止まる合成樹脂剤１９が密着するので、この合成樹脂剤１９と糸止め剤２６とで脚部１３を全周に亘って包み込むことができる。そのため、脚部１３が穂先竿杆４から剥離し難くなり、上記第１の実施の形態と同様の効果を得ることができる。
【００７０】
さらに、樹脂含浸シート３１の織物３２の表面は、数多くの交錯部３５がマトリクス状に並んだ凹凸面となっている。このため、例えば釣糸ガイド１０の脚部１３が穂先竿杆４の軸方向に押圧された時に、凹凸面が脚部１３の裏面に引っ掛かり易くなる。よって、織物３２の表面がアンカー効果を発揮し、穂先竿杆４の軸方向に沿う脚部１３の移動を制限する。
【００７１】
それとともに、脚部１３は、樹脂含浸シート３１の表面の溝部３９に入り込んで、樹脂含浸シート３１の巻き終わり端３１ｂと段差３８との間に介在されている。そのため、樹脂含浸シート３１の巻き終わり端３１ｂおよび段差３８は、穂先竿杆４の周方向への脚部１３の移動を制限するストッパとして機能する。
【００７２】
この結果、脚部１３が穂先竿杆４の軸方向および周方向のいずれの方向にもずれ動き難くなり、釣糸ガイド１０の固定強度を向上させることができる。
【００７３】
加えて、第２の実施の形態によると、糸止め剤２６として透明な合成樹脂材料を用いることで、装飾性を有する織物３２が糸止め剤２６を透過して穂先竿杆４の外に露出する。織物３２の模様は、浮き沈みする数多くの交錯部３５によって形成されているので、模様が立体的な形状となる。特に、第１の糸３３と第２の糸３４の色を異ならせることで、模様の彩がより鮮やかとなる。よって、樹脂含浸シート３１の芯材となる織物３２を利用して釣糸ガイド１０の固定部分の意匠的効果を高めることができる。
【００７４】
なお、第２の実施の形態においても、釣糸ガイドの脚部の裏面にエンボス加工を施して、脚部の裏面に複数の凹凸を形成することが望ましい。凹凸は、脚部を樹脂含浸シートの外周面に載置した時に、樹脂含浸シートの外周面に位置する交錯部と噛み合うことになる。そのため、釣糸ガイドの脚部が樹脂含浸シートの外周面により一層引っ掛かり易くなるといった利点がある。
【００７５】
本発明において、釣糸ガイドは片脚構造に特定されるものではなく、両脚構造の釣糸ガイドにも適用できる。両脚構造の釣糸ガイドに本発明を実施するに当っては、例えば元竿杆の外周面の軸方向に離間した二箇所に樹脂含浸シートを巻き付け、一方の樹脂含浸シートの上に釣糸ガイドの案内部から穂先側に突出する前側の脚部を巻き糸で縛り付け、他方の樹脂含浸シートの上に釣糸ガイドの案内部から竿尻側に突出する後側の脚部を巻き糸で縛り付ければよい。
【図面の簡単な説明】
【００７６】
【図１】本発明の第１の実施の形態に係る釣竿の側面図。
【図２】本発明の第１の実施の形態において、釣糸ガイドを釣竿の穂先竿杆に固定した状態を示す断面図。
【図３】図２のF3-F3線に沿う断面図。
【図４】図３のF4の部分を拡大して示す断面図。
【図５】図３のF5の部分を拡大して示す断面図。
【図６】本発明の第２の実施の形態において、釣糸ガイドを釣竿の穂先竿杆に固定した状態を示す断面図。
【図７】本発明の第２の実施の形態において、釣糸ガイドを樹脂含浸シートの外周面に載置した状態を示す平面図。
【図８】図７のF8-F8線に沿う断面図。
【符号の説明】
【００７７】
２，３，４…竿素材（元竿杆、中竿杆、穂先竿杆）、７…釣糸、１０…釣糸ガイド、１２…案内部、１３…脚部、１７，３１…樹脂含浸シート、１８，３２…シート本体（繊維部、織物）、１９…合成樹脂剤、２５…巻き糸、２６…糸止め剤。
【図１】
2009178132.tif 000003
【図２】
2009178132.tif 000004
【図３】
2009178132.tif 000005
【図４】
2009178132.tif 000006
【図５】
2009178132.tif 000007
【図６】
2009178132.tif 000008
【図７】
2009178132.tif 000009
【図８】
2009178132.tif 000010